(57)【要約】【課題】アラーム時刻の設定の誤りを軽減させることが可能な電子機器及び確認画面表示プログラムを提供する。【解決手段】携帯電話が画像を表示するＬＣＤ１７０と、所定時刻を入力する入力部４０１と、所定時刻において報知を行う報知部４０６と、入力部４０１において入力された所定時刻が、午前の時刻であるか否かを判断する判断部４０２と、現在の時刻が、所定時刻以前か否かを判断する時刻判断部４０３と、判断部４０２の判断により、入力部４０１において入力された時刻が、午前の時刻であると判断され、かつ、時刻判断部４０３の判断により、現在の時刻が、所定時刻以前でないと判断された場合は、報知が明日の午前の時刻における報知である旨の確認画面を、前記表示部に表示させる確認部４０４とを備える。【選択図】図５
2011114615.tif 000002
【特許請求の範囲】
【請求項１】
画像を表示する表示部と、
所定時刻を入力する入力部と、
前記所定時刻において報知を行う報知部と、
前記入力部において入力された前記所定時刻が、午前の時刻であるか否かを判断する判断部と、
現在の時刻が、前記所定時刻以前か否かを判断する時刻判断部と、
前記判断部の判断により、前記入力部において入力された時刻が、午前の時刻であると判断され、かつ、前記時刻判断部の判断により、前記現在の時刻が、前記所定時刻以前でないと判断された場合は、
前記報知が明日の午前の時刻における報知である旨の確認画面を、前記表示部に表示させる確認部と、を備える電子機器。
【請求項２】
前記確認部は、
前記判断部の判断により、前記入力部において入力された時刻が、午前の時刻であると判断され、かつ、前記時刻判断部の判断により、前記現在の時刻が、前記所定時刻以前であると判断された場合は、
前記報知が本日の午前の時刻における報知である旨の確認画面を、前記表示部に表示させる請求項１記載の電子機器。
【請求項３】
前記確認部は、
前記確認画面において、前記午前の時刻における報知である旨を強調して表示する請求項１又は２に記載の電子機器。
【請求項４】
前記強調する表示は、前記午前の時刻における報知である旨の部分の、下線表示、点滅表示、文字色の変更表示、背景色の変更表示、枠で囲う表示若しくは線の太さ変更表示又はこれらの任意の組み合わせである請求項３記載の電子機器。
【請求項５】
前記報知が、発音動作、画像表示動作、発光動作、及び、振動動作のうちの少なくともいずれか１つを含む報知である請求項１から４のいずれか１項に記載の電子機器。
【請求項６】
コンピュータを、
所定時刻を入力する入力部、
前記所定時刻において報知を行う報知部、
前記入力部において入力された前記所定時刻が、午前の時刻であるか否かを判断する判断部、
現在の時刻が、前記所定時刻以前か否かを判断する時刻判断部、
前記判断部の判断により、前記入力部において入力された時刻が、午前の時刻であると判断され、かつ、前記時刻判断部の判断により、前記現在の時刻が、前記所定時刻以前でないと判断された場合は、
前記報知が明日の午前の時刻における報知である旨の確認画面を表示部に表示させる確認部、として機能させる確認画面表示プログラム。
【発明の詳細な説明】
【技術分野】
【０００１】
本発明は、アラーム機能を備えた電子機器及びこのような電子機器に適用される確認画面表示プログラムに関する。
【背景技術】
【０００２】
携帯電話などの電子機器においては、所定時刻をユーザが設定し、この所定時刻にアラーム音などを発音させるアラーム機能が背景技術として知られている。たとえば、この種の背景技術として特許文献１においては、携帯電話の日時表示及びアラーム日時の設定に必要な時差修正を行う背景技術が開示されている。
【０００３】
このような、アラーム機能は、ユーザが目覚まし機能として利用している場合も多い。
【先行技術文献】
【特許文献】
【０００４】
【特許文献１】特開２００２−９４６１８号公報
【発明の概要】
【発明が解決しようとする課題】
【０００５】
従来のアラーム機能を有する電子機器においては、その設定時刻が、２４時間単位で入力される場合がある。この２４時間単位でアラーム時刻を設定する場合、ユーザが本来は１２時以降の午後の時間を設定したいにもかかわらず、誤って１２時間単位での午前の時間、つまり１２時間ずれた時間を設定してしまう場合があるという問題点がある。
【０００６】
たとえば、ユーザが本来は、１５時にアラーム時刻の設定を希望しているにも関わらず、ユーザが誤まって、１２時間単位で３時にアラーム時刻を設定するという場合がある。この場合、ユーザの希望するアラーム時刻の１５時よりも１２時間ずれた時刻の３時でアラーム機能が設定されてしまうという問題がある。
【０００７】
本発明は、上記事情に鑑みなされたもので、アラーム時刻の設定の誤りを軽減させることが可能な電子機器及び確認画面表示プログラムを提供することを目的とする。
【課題を解決するための手段】
【０００８】
上記課題を解決するため、本発明の第１の局面は、画像を表示する表示部と、所定時刻を入力する入力部と、前記所定時刻において報知を行う報知部と、前記入力部において入力された前記所定時刻が、午前の時刻であるか否かを判断する判断部と、現在の時刻が、前記所定時刻以前か否かを判断する時刻判断部と、前記判断部の判断により、前記入力部において入力された時刻が、午前の時刻であると判断され、かつ、前記時刻判断部の判断により、前記現在の時刻が、前記所定時刻以前でないと判断された場合は、前記報知が明日の午前の時刻における報知である旨の確認画面を、前記表示部に表示させる確認部と、を備える。
【０００９】
本発明の第２の局面は、本発明の第１の局面において、前記確認部は、前記判断部の判断により、前記入力部において入力された時刻が、午前の時刻であると判断され、かつ、前記時刻判断部の判断により、前記現在の時刻が、前記所定時刻以前であると判断された場合は、前記報知が本日の午前の時刻における報知である旨の確認画面を、前記表示部に表示させる。
【００１０】
本発明の第３の局面は、本発明の第１の局面又は第２の局面において、前記確認部は、前記確認画面において、前記午前の時刻における報知である旨を強調して表示する。
【００１１】
本発明の第４の局面は、本発明の第３の局面において、前記強調する表示は、前記午前の時刻における報知である旨の部分の、下線表示、点滅表示、文字色の変更表示、背景色の変更表示、枠で囲う表示若しくは線の太さ変更表示又はこれらの任意の組み合わせである。
【００１２】
本発明の第５の局面は、本発明の第１から４のいずれか１項の局面において、前記報知が、発音動作、画像表示動作、発光動作、及び、振動動作のうちの少なくともいずれか１つを含む報知である。
【００１３】
本発明の第６の局面は、コンピュータを、所定時刻を入力する入力部、前記所定時刻において報知を行う報知部、前記入力部において入力された前記所定時刻が、午前の時刻であるか否かを判断する判断部、現在の時刻が、前記所定時刻以前か否かを判断する時刻判断部、前記判断部の判断により、前記入力部において入力された時刻が、午前の時刻であると判断され、かつ、前記時刻判断部の判断により、前記現在の時刻が、前記所定時刻以前でないと判断された場合は、前記報知が明日の午前の時刻における報知である旨の確認画面を表示部に表示させる確認部、として機能させる。
【００１４】
よって、上記第１の局面及び第６の局面によれば、入力部において入力された時刻が、午前の時刻であると判断され、かつ、時刻判断部の判断により、現在の時刻が、所定時刻以前でないと判断された場合は、報知が明日の午前の時刻における報知である旨の確認画面を、表示部に表示させるため、ユーザが報知時刻を正確に確認することができ、アラーム時刻の設定の誤りを軽減させることが可能となる。
【００１５】
また、上記第２の局面によれば、第１の局面に加えて、現在の時刻が、所定時刻以前であると判断された場合は、報知が本日の午前の時刻における報知である旨の確認画面を、表示部に表示させるため、ユーザが報知時刻を正確に確認することができ、アラーム時刻の設定の誤りを軽減させることが可能となる。
【００１６】
また、上記第３の局面によれば、第１の局面又は第２の局面に加えて、午前の時刻における報知である旨が強調して表示されるため、ユーザが報知時刻として午前でよいか否かを確認することができ、アラーム時刻の設定の誤りを軽減させることができる。
【００１７】
また、上記第４の局面によれば、第３の局面に加えて、強調する表示を午前の時刻における報知である旨の部分の、下線表示、点滅表示、文字色の変更表示、背景色の変更表示、枠で囲う表示若しくは線の太さ変更表示又はこれらの任意の組み合わせとすることができ、多様な方法で強調表示を行うことができる。
【００１８】
上記第５の局面によれば、第１の局面から第４の局面のいずれか１の局面に加えて、報知が、発音動作、画像表示動作、発光動作、及び、振動動作のうちの少なくともいずれか１つを含む報知であるため、多様な方法で、報知を行うことができる。
【発明の効果】
【００１９】
本発明によれば、アラーム時刻の設定の誤りを軽減させることが可能な電子機器及び確認画面表示プログラムを提供することができる。
【図面の簡単な説明】
【００２０】
【図１】本発明に係る電子機器の一実施形態である携帯電話の外観斜視図である。
【図２】本発明に係る電子機器の一実施形態である携帯電話の外観斜視図である。
【図３】図１に示される携帯電話の内部構成を示すブロック図である。
【図４】図３に示されるＲＯＭ１１０の内部構成を示す概念図である。
【図５】図３に示される制御部１４０の機能ブロック図である。
【図６】本発明に係る電子機器の一実施形態である携帯電話のアラーム設定動作のフローチャートである。
【図７】本発明に係る電子機器の一実施形態である携帯電話の表示画面の概略図である。
【図８】本発明に係る電子機器の一実施形態である携帯電話の表示画面の概略図である。
【図９】本発明に係る電子機器の一実施形態である携帯電話の表示画面の概略図である。
【図１０】本発明に係る電子機器の一実施形態である携帯電話の表示画面の概略図である。
【図１１】本発明に係る電子機器の一実施形態である携帯電話の変形例の表示画面の概略図である。
【図１２】本発明に係る電子機器の一実施形態である携帯電話の変形例の表示画面の概略図である。
【発明を実施するための形態】
【００２１】
以下、本発明に係る電子機器の一実施形態として、携帯電話に適用した例を図面を参照して説明する。なお、以下の本発明に係る電子機器の一実施形態の説明は、本発明に係る確認画面表示プログラムの一実施形態の説明も兼ねる。
【００２２】
図１及び図２は、本発明に係る電子機器の一実施形態である携帯電話の外観斜視図である。図１は、携帯電話がオープン状態である場合を示し、図２は、携帯電話がクローズ状態である場合を示す。
【００２３】
図１に示される携帯電話は、いわゆる折り畳み型の携帯電話である。この携帯電話は、ＬＣＤ（ｌｉｑｕｉｄ  ｃｒｙｓｔａｌ  ｄｉｓｐｌａｙ）側筐体１０と、操作部側筐体２０とがヒンジ機構３０により互いに開閉可能な構造となっている。
【００２４】
ＬＣＤ側筐体１０には、画像や文字などを表示するＬＣＤ１７０が設けられている。また、操作部側筐体２０には、入力キー１５０が設けられている。この入力キー１５０は、主に数字や文字などを入力するためのテンキー１５０ａと、カーソル移動や方向指示などに使用する方向キー１５０ｂとを備える。
【００２５】
次に、図３を参照して、図１に示される携帯電話の内部構成について説明する。図３は、図１に示される携帯電話の内部構成を示すブロック図である。
【００２６】
図１に示されるように、本実施形態の携帯電話は、アンテナ１００と、ＲＯＭ１１０と、リアルタイムクロック（以下、ＲＴＣとも記載する。）１２０と、無線回路１３０と、制御部１４０と、入力キー１５０と、ＬＣＤドライバ１６０と、ＬＣＤ１７０と、振動モータ１８０と、フラッシュメモリ１９０と、ＲＡＭ２００と、マイク２１０と、レシーバ２２０と、スピーカ２３０とを備える。
【００２７】
アンテナ１００は、所定周波数により搬送された電波を受信して信号として無線回路１３０に出力すると共に、無線回路１３０から出力された信号を所定周波数の電波として出力する。
【００２８】
ＲＯＭ１１０は、ＣＰＵ１４０ａにより実行されるプログラムや、このプログラムで利用されるデータを記憶する。なお、ＲＯＭ１１０に記憶されているプログラムは、ＣＰＵ１４０ａなどと協働することにより、本発明に係る確認画面表示プログラムの一実施形態となる。
【００２９】
ＲＴＣ１２０は、実時刻情報を制御部１４０に出力する。
【００３０】
無線回路１３０は、アンテナ１００が受信した信号を所定の信号に変換すると共に、制御部１４０から出力された信号を変換してアンテナ１００に出力する。
【００３１】
制御部１４０は、携帯電話全体の動作を制御する。この制御部１４０は例えばＣＰＵ１４０ａなどを有して構成される。この制御部１４０のＣＰＵ１４０ａは、ＲＯＭ１１０に記憶されたプログラムなどと協働して、各種ハードウェアを制御する。
【００３２】
入力キー１５０は、テンキー、電源キー、方向キーなどから構成され、ユーザの入力に基づいて入力信号を制御部１４０に出力する。
【００３３】
ＬＣＤドライバ１６０は、制御部１４０の制御に基づいてＬＣＤ１７０の表示を制御する。
【００３４】
ＬＣＤ１７０は、ＬＣＤドライバ１６０の制御に基づいて、画像、映像、文字などを表示する。たとえば、制御部１４０は、着信やアラーム日時到来などのイベントがあると、ユーザに報知するためＬＣＤ１７０に所定の画像などを表示する。
【００３５】
振動モータ１８０は、制御部１４０の制御に基づいて、回転動作を行う。振動モータ１８０は、回転動作により携帯電話に振動を付与する。制御部１４０は、着信やアラーム日時到来などのイベントがあると、ユーザに報知するため振動モータ１８０を回転させ、携帯電話に振動を付与する。
【００３６】
フラッシュメモリ１９０は、各種情報を記憶する。この情報として、例えば、携帯電話のユーザに関連する情報などがある。このユーザに関連する情報とは、たとえば、アドレス帳、スケジュール帳などが挙げられる。また、フラッシュメモリ１９０は、画像データ、映像データ、音楽データなどの各種情報を記憶する。
【００３７】
ＲＡＭ２００は、ＣＰＵ１４０ａが作業する際に、データを展開するためのバッファ領域として利用される。
【００３８】
マイク２１０は、携帯電話の外部の音を集め、その集めた音に基づいて、制御部１４０に信号を出力する。マイク２１０は、携帯電話のユーザが通話の際の会話の音声を集める。
【００３９】
レシーバ２２０は、制御部１４０の制御に基づいて音を出力する。レシーバ２２０が出力する音は、たとえば、通話中のユーザ同士の会話などである。
【００４０】
スピーカ２３０は、制御部１４０から出力された信号に基づいて音を発する。この音としては、たとえば報知音や音楽などがある。たとえば、制御部１４０は、着信やアラーム日時到来などのイベントがあると、ユーザに報知するためスピーカ２３０から発音させる。
【００４１】
次に、図４を参照して、図３に示されるＲＯＭ１１０の内部構成について説明する。図４は、図３に示されるＲＯＭ１１０の内部構成を示す概念図である。
【００４２】
図４に示されるように、ＲＯＭ１１０は、ＣＰＵ１４０ａと協働して各種処理を行うプログラムを記憶するプログラム領域３００と、各種処理において利用されるデータが記憶されるデータ領域３１０とから構成される。
【００４３】
プログラム領域３００は、画像表示処理を行うための画像表示プログラム３０１と、入力キー１５０などからの入力信号を処理するための入力処理プログラム３０２と、ユーザからアラーム設定時刻と入力された時刻が、午前であるか否か、すなわち、０時０分から１２時０分までの間であるか否かを判断するための判断プログラム３０３と、現在時刻が入力された時刻以前か否かを判断するための時刻判断プログラム３０４と、ＬＣＤ１７０に確認画面を表示させるための確認プログラム３０５と、ユーザに対して、画像表示、振動、発音などによる報知処理をするアラーム処理を設定するアラーム設定プログラム３０６と、アラーム日時において画像表示、振動、発音などによる報知処理を行う報知処理プログラム３０７とから構成される。
【００４４】
また、データ領域３１０は、ＬＣＤ１７０に表示する各種の画像データ３１１からなる。
【００４５】
次に、図５を参照して、図３に示される制御部１４０の機能について説明する。図５は、図３に示される制御部１４０の機能ブロック図である。
【００４６】
図５に示されるように、制御部１４０は、入力部４０１と、判断部４０２と、時刻判断部４０３と、確認部４０４と、設定部４０５とを備える。
【００４７】
入力部４０１は、入力キー１５０から入力された情報を処理する。すなわち、入力部４０１は、入力キー１５０から入力された情報を判断部４０２、設定部４０５に出力する。
【００４８】
判断部４０２は、ユーザから入力された時刻が、午前であるか否か、すなわち、ユーザから入力された時刻が０時０分から１２時０分までの間であるか否かを判断する。
【００４９】
時刻判断部４０３は、現在時刻がユーザから入力された時刻以前であるか否かを判断する。
【００５０】
確認部４０４は、ユーザから入力された時刻が午前である場合に、ユーザに確認を促すための所定の確認画面を、ＬＣＤドライバ１６０を介してＬＣＤ１７０に表示させる。この所定の確認画面については、後述する。
【００５１】
設定部４０５は、入力部４０１において入力された情報に基づいて、アラーム日時を設定し、アラーム日時に報知部４０６に対して報知処理を行うよう指示する。
【００５２】
報知部４０６は、ＬＣＤ１７０、振動モータ１８０、スピーカ２３０などからなり、アラーム日時である旨を報知するために、ＬＣＤ１７０に画像を表示したり、振動モータ１８０を回転させて振動を付与したり、スピーカ２３０から発音するなど、これらのいずれか１つまたはこれらを任意に組み合わせた処理を行う。
【００５３】
次に、図６から図９を参照して、本発明に係る電子機器の一実施形態である携帯電話の動作について説明する。
【００５４】
図６は、本発明に係る電子機器の一実施形態である携帯電話のアラーム設定動作のフローチャートであり、図７、図８、図９、図１０は、本発明に係る電子機器の一実施形態である携帯電話の表示画面の概略図である。
【００５５】
まず、携帯電話のユーザがアラーム設定する場合、ユーザは、メニュー画面などからアラーム設定処理を選択する。そして、アラーム設定処理がユーザにより選択されると、図７に示される画面５００がＬＣＤ１７０に表示される。
【００５６】
図７に示される画面５００には、時刻入力部５１０と、決定キー５２０と、キャンセルキー５３０とが表示されている。
【００５７】
時刻入力部５１０は、アラームによる報知処理を行う時刻を入力するための画像である。なお、本実施形態では、時刻入力部５１０には、２４時間単位で時刻が入力されるものとする。
【００５８】
そして、時刻表示部５１０は、時を入力するための時入力部５１０ａと、分を入力するための分入力部５１０ｂとから構成される。
【００５９】
ユーザは、図７に示される画面５００から、入力キー１５０を用いて、アラーム時刻となる所定時刻を入力する。この入力に基づいて、入力部４０１は、入力内容をＬＣＤ１７０に表示させる（ステップＳ１０１）。たとえば、ユーザが、午前７時０分を入力した場合のＬＣＤ１７０の表示画面を図８に示す。
【００６０】
次に、制御部１４０の判断部４０２は、ユーザから入力された時刻が午前であるか否か、すなわち、ユーザから入力された時刻が０時０分から１２時０分までの間であるか否かを判断する（ステップＳ１０２）。なお、本実施形態では、上記時間範囲の境界時刻である、０時０分と１２時０分との双方を午前であるとする。もちろん、本発明において、上記時間範囲の境界時刻である、０時０分と１２時０分とのいずれか一方のみを午前としても良いし、上記時間範囲の境界時刻である、０時０分と１２時０分との双方を午前ではないとしても良い。また、境界時刻として、分の単位まで考慮したが、本発明はこれに限定されず、秒の単位やその他、秒よりも下位の時刻単位まで考慮しても良い。
【００６１】
そして、制御部１４０は、ユーザから入力された時刻が午前である場合（Ｙｅｓ）は、ステップＳ１０３に移行し、午前でない場合はステップＳ１０６に移行する。
【００６２】
次に、時刻判断部４０３は、現在時刻が、ステップＳ１０１においてユーザから入力された時刻以前であるか否かを判断する（ステップＳ１０３）。そして、現在時刻がユーザから入力された時刻以前である場合（Ｙｅｓ）は、ステップＳ１０４に移行し、現在時刻がユーザから入力された時刻以前でない場合（Ｎｏ）は、ステップＳ１０５に移行する。
【００６３】
次に、図９に示されるように、ステップＳ１０４において、確認部４０４は、入力された時刻が午前の時刻であり、かつ、現在時刻がユーザから入力された時刻以前である場合は、確認画面５４０ａをＬＣＤ１７０に表示するよう指示する。
【００６４】
この確認画面５４０ａには、アラーム設定された日が本日である旨が表示されていると共に、アラーム時刻として設定された時刻が午前である旨が表示されている。
【００６５】
他方、図１０に示されるように、ステップＳ１０５において、確認部４０４は、入力された時刻が午前の時刻であり、かつ、現在時刻がユーザから入力された時刻より後である場合は、確認画面５４０ｂをＬＣＤ１７０に表示するよう指示する。
【００６６】
この確認画面５４０ｂには、アラーム設定された日が明日である旨が表示されていると共に、アラーム時刻として設定された時刻が午前である旨が表示されている。
【００６７】
次に、ステップＳ１０６において、図９又は図１０に示される確認画面５４０ａ、５４０ｂを確認したユーザは、決定キー５２０又はキャンセルキー５３０のいずれかを入力キー１５０により選択する。
【００６８】
そして、入力部４０１は、決定キー５２０が選択された場合は（Ｙｅｓ）、ステップＳ１０７に移行し、決定キー５２０が選択されずキャンセルキー５３０が選択された場合は（Ｎｏ）、ステップＳ１０１に移行する（ステップＳ１０６）。
【００６９】
次に、設定部４０５は、ユーザにより入力された時刻をアラーム時刻と設定し（ステップＳ１０７）、アラーム設定処理を終える。
【００７０】
なお、報知部４０６は、ＲＴＣ１２０から出力された時刻がアラーム設定された時刻となった場合は、ＬＣＤ１７０による画像表示、振動モータ１８０による振動付与、スピーカ２３０からの発音など若しくはこれらの任意組み合わせからなる報知処理を行う。
【００７１】
以上のように、本発明に係る電子機器の一実施形態である携帯電話によれば、アラーム時刻を設定した際に、設定時刻が午前であるか否かを判断し、アラーム設定された時刻が、午前の時刻であると判断された場合は、午前の時刻における報知である旨の確認画面５４０ａ、５４０ｂを表示するため、ユーザが本当に午前の時刻を設定するのか、若しくは、午前の時刻から１２時間ずれた時刻を設定するのかの注意喚起を行うことができ、ユーザによるアラーム時刻の設定ミスを軽減することができる。
【００７２】
さらに、本発明に係る電子機器の一実施形態である携帯電話によれば、現在の時刻が、アラーム設定された時刻以前か否かを判断し、その判断結果に基づいて、アラーム時刻が、本日の時刻であるか明日の時刻であるかを表示しているため、ユーザによるアラーム時刻の設定ミスを軽減することができる。
【００７３】
たとえば、現在時刻が午後６時００分、つまり１８時である場合に、アラーム設定時刻として、午後７時００分、つまり１９時を設定する場合を例に考える。この場合、ユーザが誤まって、午前７時００分をアラーム時刻として設定した場合であっても、確認画面において、午前である旨の表示と、明日のアラーム時刻である旨の表示がなされているため、ユーザはアラーム時刻の設定誤りに、容易に気づくことができる。
【００７４】
＜変形例＞
次に、上記の本発明に係る電子機器の一実施形態の携帯電話の変形例について図１１、図１２を参照して説明する。図１１、図１２は、本発明に係る電子機器の一実施形態である携帯電話の変形例の表示画面の概略図である。
【００７５】
この変形例は、図９、図１０に示されるユーザに表示する確認画面５４０ａ、５４０ｂに代えて、図１１、図１２に示される確認画面５５０ａ、５５０ｂが表示される点のみが異なり、その他の構成及び動作は、図１から図１０を参照して説明した実施形態と同様である。
【００７６】
すなわち、本発明に係る電子機器の一実施形態の携帯電話の変形例においては、図１１、図１２に示されるように、確認画面５５０ａ、５５０ｂにおいて、午前の部分が下線により強調表示されている。
【００７７】
そのため、この変形例の電子機器の一実施形態によれば、ユーザに対する確認画面５５０ａ、５５０ｂにおいて午前の部分が強調表示されているため、ユーザが本当に午前の時刻を設定するのか、若しくは、午前の時刻から１２時間ずれた時刻を設定するのかの注意喚起を行うことができ、ユーザによるアラーム時刻の設定ミスを軽減することができる。
【００７８】
なお、本発明に係る電子機器の一実施形態の強調表示として、上記のような下線表示に限定されるものではなく、その他にも、午前の部分の点滅表示、午前の部分の文字色の変更表示、、午前の部分の背景色の変更表示、午前の部分を枠で囲う表示、若しくは、午前の部分の線の太さ変更表示又はこれらの任意の組み合わせなど、その他適宜な強調表示であって良い。
【００７９】
また、本発明に係る電子機器の一実施形態における、午前の部分の強調表示として、午前の部分のみを強調表示する場合に限定されるものではなく、たとえば時刻、本日又は明日の表示など、午前以外の部分も含めて強調表示するとしても良い。
【００８０】
［補足］
（１）なお、本発明に係る電子機器及び確認画面表示プログラムは、上記実施形態に限定されるものではなく、その他種々の変形実施が可能である。
【００８１】
（２）たとえば、アラーム時刻として、図７に示される例では、時分を入力したが、時分に加えて秒を入力するようにしても良い。
【００８２】
（３）また、上記実施形態では、ユーザから入力された時刻が、午前であるか否か、すなわち、０時０分から１２時０分までの間であるか否か判断するとしたが、午前か否かを判断するための時間範囲としては、このような午前の全体の時間範囲でなくても良く、その時間範囲は適宜変更することができる。例えば、７時０分から１２時０分までの範囲か否かを判断して、午前か否かを判断するとしても良い。この場合、７時０分より前の時刻がアラーム時刻として設定された場合、ユーザへの確認画面の表示が不要となり、消費電力を削減することができる。
【００８３】
（４）また、上記実施形態では、午前である旨の確認画面に時刻を表示したが、本発明の電子機器はこのような場合に限定されるものではなく、たとえば、単に設定時刻が午前である旨の表示など適宜な変更が可能である。このような表示画面としては、たとえば、図９、図１０に示される確認画面５４０ａ、５４０ｂの変形例として、「午前の設定ですが宜しいですか？」などがある。
【００８４】
（５）また、上記実施形態では、本発明に係る電子機器の一実施形態として携帯電話を例に挙げたが、本発明に係る電子機器が適用される機器としては携帯電話に限定されるものではなく、たとえば、ＰＤＡ、パソコン、ナビゲーションシステム、ゲーム機、その他の電子機器に適用可能である。
【００８５】
（６）また、上記実施形態では、設定時刻が午前である旨のユーザに対する確認として確認画面を表示するとしているが、本発明はこのような場合に限定されるものではない。たとえば、設定時刻が午前である旨を確認させるために、確認画面に代えて、又は、確認画面と共に、音声や発音により確認したり、ＬＥＤの発光により確認したり、振動により確認したり若しくはこれらを任意に組み合わせて確認を行うとしたり、その他適宜な方法により確認を行うとしても良い。
【００８６】
（７）また、上記実施形態では、本発明に係る電子機器の一実施形態の携帯電話として、折り畳み型の携帯電話を例に説明したが、本発明はこのような場合に限定されるものではなく、その他にも、スライド型、ストレート型、２軸ヒンジ型その他適宜な筐体構造の携帯電話に適用可能である。
【００８７】
（８）また、上記実施形態では、確認画面を表示するタイミングとして、例えば図６のフローチャートのステップＳ１０４、ステップＳ１０５に示されるように、所定時刻が入力された後としているが、本発明はこのような場合に限定されるものではない。例えば、確認画面を表示するタイミングとして、所定時刻が入力された後、決定キーが選択された後であるとしても良い。たとえば、図６のフローチャートを例に挙げると、ステップＳ１０６の後である。この場合、ユーザは、設定された時刻が正しいか否かを確認するために、再度、決定キー又はキャンセルキーを選択する。
【００８８】
（９）また、上記実施形態では、例えば図６のステップＳ１０６に示されるように、アラーム時刻の設定を確定するために決定キーを選択するとしているが、本発明はこのような場合に限定されるものではなく、たとえば、確認画面が表示されてから所定時間経過した場合に、アラーム時刻の設定を確定するとしても良い。この場合、ユーザは、決定キーの選択が不要となり、利便性が向上する。
【００８９】
（１０）また、上記実施形態では、たとえば図９、図１０、図１１、図１２に示されるような確認画面５４０ａ、５４０ｂ、５５０ａ、５５０ｂを表示するとしたが、本発明の確認画面としてこのような確認画面に限定されるものではない。たとえば、午前の時刻における報知である旨の確認画面としては、報知時刻が午前であることを示すことができれば良いので、単に午前の表示や、午前を示す画像、マーク、文言を表示したりこれらを適宜組み合わせた確認画面であって良い。
【符号の説明】
【００９０】
１０  ＬＣＤ側筐体
２０  操作部側筐体
３０  ヒンジ機構
１００  アンテナ
１１０  ＲＯＭ
１２０  リアルタイムクロック（ＲＴＣ）
１３０  無線回路
１４０  制御部
１４０ａ  ＣＰＵ
１５０  入力キー
１５０ａ  テンキー
１５０ｂ  方向キー
１６０  ＬＣＤドライバ
１７０  ＬＣＤ（表示部）
１８０  振動モータ
１９０  フラッシュメモリ
２００  ＲＡＭ
２１０  マイク
２２０  レシーバ
２３０  スピーカ
３００  プログラム領域
３０１  画像表示プログラム
３０２  入力処理プログラム
３０３  判断プログラム
３０４  時刻判断プログラム
３０５  確認プログラム
３０６  アラーム設定プログラム
３０７  報知処理プログラム
３１０  データ領域
３１１  画像データ
４０１  入力部
４０２  判断部
４０３  時刻判断部
４０４  確認部
４０５  設定部
４０６  報知部
５００  画面
５４０ａ、５４０ｂ、５５０ａ、５５０ｂ  確認画面
【図１】
2011114615.tif 000003
【図２】
2011114615.tif 000004
【図３】
2011114615.tif 000005
【図４】
2011114615.tif 000006
【図５】
2011114615.tif 000007
【図６】
2011114615.tif 000008
【図７】
2011114615.tif 000009
【図８】
2011114615.tif 000010
【図９】
2011114615.tif 000011
【図１０】
2011114615.tif 000012
【図１１】
2011114615.tif 000013
【図１２】
2011114615.tif 000014